(57)【要約】      （修正有）【課題】建築物の各位置の属性や建築物の図面を表示する場合の利便性を向上する図面表示装置を提供する。【解決手段】検査システム１０において、図面表示装置は、建築物の二次元図面を表示する図面表示装置であって、二次元図面を表す図面データを取得する図面データ取得部と、建築物の各位置に対応する二次元図面上の座標を示す座標情報と、各位置の属性を示す属性情報と、が互いに関連付けられた、ＧＩＳ表示機能による表示に用いられる地図情報データを取得する地図情報データ取得部と、ＧＩＳ表示機能を有し、図面データに基づいて二次元図面を表示するとともに、地図情報データに基づいて、少なくとも１つの属性を、二次元図面上の、属性に関連付けられた座標に対応する位置に表示する表示部と、を備える。【選択図】図１
2020115370.tif 000002
【特許請求の範囲】
【請求項１】
建築物の二次元図面を表示する図面表示装置であって、
前記二次元図面を表す図面データを取得する図面データ取得部と、
前記建築物の各位置に対応する前記二次元図面上の座標を示す座標情報と、前記各位置の属性を示す属性情報と、が互いに関連付けられた地図情報データであって、ＧＩＳ表示機能による表示に用いられる地図情報データを取得する地図情報データ取得部と、
ＧＩＳ表示機能を有し、前記図面データに基づいて前記二次元図面を表示するとともに、前記地図情報データに基づいて、少なくとも１つの前記属性を、前記二次元図面上の、前記属性に関連付けられた前記座標に対応する位置に表示する表示部と、を備える、図面表示装置。
【請求項２】
請求項１に記載の図面表示装置であって、さらに、
操作を受け付ける操作受付部を備え、
前記属性情報は、アイコンを含む複数種類の前記属性を示す情報であり、
前記表示部は、
前記二次元図面上に前記属性としての前記アイコンを表示し、
前記操作受付部が表示された前記アイコンを選択する前記操作を受け付けたことに応じて、選択された前記アイコンに関連付けられた前記座標に関連付けられた他の種類の前記属性を表示する、図面表示装置。
【請求項３】
請求項１または請求項２に記載の図面表示装置であって、
前記建築物の各位置は、前記建築物の検査位置を含み、
前記属性は、前記検査位置における検査の際に参照する検査内容と、前記検査位置における検査結果との少なくとも一方を含む、図面表示装置。
【請求項４】
請求項１から請求項３までのいずれか一項に記載の図面表示装置であって、
前記属性は、画像を含み、
前記地図情報データは、前記二次元図面上の１つの前記座標に、前記属性としての複数の前記画像を関連付けることが可能なデータである、図面表示装置。
【請求項５】
請求項１から請求項４までのいずれか一項に記載の図面表示装置であって、
前記属性は、画像を含み、
前記図面表示装置は、さらに、
被写体を撮影することにより画像を表す画像情報を生成する撮影部と、
前記属性情報としての前記画像情報を、前記被写体に対応する座標情報に関連付けて、前記地図情報データに追加するデータ更新部と、を備える、図面表示装置。
【請求項６】
請求項５に記載の図面表示装置であって、
前記属性情報は、画像と前記画像に対応するサムネイル画像とを含む複数種類の属性を示す情報であり、
前記表示部は、前記二次元図面と、前記サムネイル画像に関連付けられた前記座標に関連付けられた他の種類の前記属性と、の少なくとも一方とともに、前記サムネイル画像を表示する、図面表示装置。
【請求項７】
請求項６に記載の図面表示装置であって、さらに、
操作を受け付ける操作受付部を備え、
前記表示部は、前記操作受付部が前記表示部に表示された前記サムネイル画像を選択する前記操作を受け付けたことに応じて、前記サムネイル画像に対応する前記画像を表示する、図面表示装置。
【請求項８】
請求項１から請求項７までのいずれか一項に記載の図面表示装置であって、
前記属性は、画像を含み、
前記図面表示装置は、さらに、
前記表示部に表示された前記画像に付加画像を追加する付加画像追加部を備え、
前記表示部は、前記画像への前記付加画像の追加に応じて、前記付加画像が追加された後の前記画像を表示する、図面表示装置。
【請求項９】
建築物の二次元図面を表示する図面表示システムであって、
データ生成装置と、
図面表示装置と、を備え、
前記データ生成装置は、
前記二次元図面を表す図面データを取得する図面データ取得部と、
前記建築物の各位置に対応する前記二次元図面上の座標を示す座標情報と、前記各位置の属性を示す属性情報と、が互いに関連付けられた地図情報データであって、ＧＩＳ表示機能による表示に用いられる地図情報データを生成する地図情報データ生成部と、
前記図面データと前記地図情報データとを前記図面表示装置に送信する本体通信部と、を有し、
前記図面表示装置は、
前記データ生成装置から送信される前記図面データと前記地図情報データとを受信する端末通信部と、
ＧＩＳ表示機能を有し、前記図面データに基づいて前記二次元図面を表示するとともに、前記地図情報データに基づいて、少なくとも１つの前記属性を、前記二次元図面上の、前記属性に関連付けられた前記座標に対応する位置に表示する表示部と、を有する、図面表示システム。
【発明の詳細な説明】
【技術分野】
【０００１】
本明細書に開示される技術は、図面表示装置に関する。
【背景技術】
【０００２】
建築物や土木構造物等の構造物の施工検査に利用される端末装置が知られている。このような端末装置は、検査に関するデータを作成する検査サーバから取得したデータに基づいて、表示部に検査内容を表示する。検査員は、端末装置の表示部に表示される検査内容を参照しつつ各検査位置の施工検査を行う。このような端末装置において、検査内容とともに、構造物の二次元図面（以下、単に「図面」という）を表示部に表示可能な端末装置が知られている（例えば特許文献１参照）。
【先行技術文献】
【特許文献】
【０００３】
【特許文献１】特開２００９−２１７６９４号公報
【発明の概要】
【発明が解決しようとする課題】
【０００４】
従来の端末装置では、検査サーバにより作成されたデータに基づき、検査内容と構造物の図面とを表示部に表示させる。具体的には、検査サーバは、検査内容を表す検査データと、構造物の図面を表す図面データとから、検査内容と構造物の図面とを表示するための１つのデータを生成し、端末装置に送信する。端末装置は、この１つのデータに基づいて検査内容と構造物の図面とを表示させる。そのため、例えば、検査内容のみを表示したり、構造物の図面のみを表示したり、検査内容と構造物の図面との両方を表示したりする等、端末装置において表示部に表示される内容を切り替えることができず、利便性の点で向上の余地がある。なお、このような問題は、構造物の施工検査に利用される端末装置において、検査内容と構造物の図面とを表示する場合に限らず、構造物の図面を表示する図面表示装置において、構造物の各位置の属性と構造物の図面とを表示する場合にも共通する問題である。
【０００５】
本明細書では、上述した課題の少なくとも一部を解決することが可能な技術を開示する。
【課題を解決するための手段】
【０００６】
本明細書に開示される技術は、例えば、以下の形態として実現することが可能である。
【０００７】
（１）本明細書に開示される図面表示装置は、構造物の二次元図面を表示する図面表示装置であって、前記二次元図面を表す図面データを取得する図面データ取得部と、前記構造物の各位置に対応する前記二次元図面上の座標を示す座標情報と、前記各位置の属性を示す属性情報と、が互いに関連付けられた地図情報データを取得する地図情報データ取得部と、前記図面データに基づいて前記二次元図面を表示するとともに、前記地図情報データに基づいて、少なくとも１つの前記属性を、前記二次元図面上の、前記属性に関連付けられた前記座標に対応する位置に表示する表示部と、を備える。本図面表示装置によれば、表示部は、図面データに基づいて構造物の二次元図面を表示するとともに、地図情報データに基づいて属性を表示する。そのため、属性のみを表示させたいときは、地図情報データに基づいて属性のみを表示させることができる。また、属性と構造物の二次元図面の両方を表示させたいときは、地図情報データおよび図面データに基づいて属性と構造物の二次元図面の両方を表示させることができる。これにより、表示部に属性や構造物の二次元図面を表示するときの利便性を向上させることができる。また、属性は、構造物の二次元図面上の座標に関連付けられており、表示部に表示される属性は、二次元図面上の、属性に関連付けられた座標に対応する位置に表示される。そのため、二次元図面上のどの位置に属性が関連付けられているかを容易に把握することができる。
【０００８】
（２）上記図面表示装置において、さらに、操作を受け付ける操作受付部を備え、前記属性情報は、アイコンを含む複数種類の前記属性を示す情報であり、前記表示部は、前記二次元図面上に前記属性としての前記アイコンを表示し、前記操作受付部が表示された前記アイコンを選択する前記操作を受け付けたことに応じて、選択された前記アイコンに関連付けられた前記座標に関連付けられた他の種類の前記属性を表示する構成としてもよい。本図面表示装置によれば、ユーザは、表示部に表示されたアイコンを選択する操作を行うことで、選択されたアイコンに関連付けられた座標に関連付けられた他の種類の属性を確認することができる。
【０００９】
（３）上記図面表示装置において、前記構造物の各位置は、前記構造物の検査位置を含み、前記属性は、前記検査位置における検査の際に参照する検査内容と、前記検査位置における検査結果との少なくとも一方を含む構成としてもよい。本図面表示装置によれば、ユーザは、検査位置に表示されたアイコンを選択する操作を行うことで、選択された検査位置における検査内容や検査結果を確認することができる。
【００１０】
（４）上記図面表示装置において、前記属性は、前記構造物の通芯と、前記通芯の座標に関連付けられて前記通芯を識別する通芯識別子と、を含み、前記表示部は、前記二次元図面の表示倍率を変更可能であり、前記二次元図面の前記表示倍率が変更されたことに応じて、前記通芯と前記通芯識別子との表示状態を更新する構成としてもよい。本図面表示装置によれば、構造物の二次元図面の表示倍率が変更された場合でも、通芯を二次元図面の表示倍率の変更に追従して表示することができ、かつ、表示状態にある通芯識別子を用いて通芯を識別することができる。
【００１１】
（５）上記図面表示装置において、前記属性は、画像を含み、前記地図情報データは、前記二次元図面上の１つの前記座標に、前記属性としての複数の前記画像を関連付けることが可能なデータである構成としてもよい。本図面表示装置によれば、構造物の二次元図面上の１つの座標に、例えば構造物の是正工事前後の画像や、同じ被写体を異なる角度から撮影した複数の画像等を保持することができ、利便性を向上させることができる。
【００１２】
（６）上記図面表示装置において、前記属性は、画像を含み、前記図面表示装置は、さらに、被写体を撮影することにより画像を表す画像情報を生成する撮影部と、前記属性情報としての前記画像情報を、前記被写体に対応する座標情報に関連付けて、前記地図情報データに追加するデータ更新部と、を備える構成としてもよい。本図面表示装置によれば、ユーザは、地図情報データに追加された画像情報により、画像情報に関連付けられた座標情報に対応する被写体の画像を確認することができる。
【００１３】
（７）上記図面表示装置において、前記属性情報は、画像と前記画像に対応するサムネイル画像とを含む複数種類の属性を示す情報であり、前記表示部は、前記二次元図面と、前記サムネイル画像に関連付けられた前記座標に関連付けられた他の種類の前記属性と、の少なくとも一方とともに、前記サムネイル画像を表示する構成としてもよい。本図面表示装置によれば、ユーザは、表示部に表示されるサムネイル画像により、構造物の二次元図面上の各座標に関連付けられた画像を確認することができる。また、サムネイル画像は、二次元図面や当該サムネイル画像に関連付けられた座標に関連付けられた他の種類の属性とともに表示部に表示されるので、二次元図面や他の種類の属性と、サムネイル画像に対応する画像とが対応するものであるか否かを確認することができる。
【００１４】
（８）上記図面表示装置において、さらに、操作を受け付ける操作受付部を備え、前記表示部は、前記操作受付部が前記表示部に表示された前記サムネイル画像を選択する前記操作を受け付けたことに応じて、前記サムネイル画像に対応する前記画像を表示する構成としてもよい。本図面表示装置によれば、ユーザは、表示部に表示されたサムネイル画像を選択する操作を行うことで、サムネイル画像に対応する画像を詳細に確認することができる。
【００１５】
（９）上記図面表示装置において、前記属性は、画像を含み、前記図面表示装置は、さらに、前記表示部に表示された前記画像に付加画像を追加する付加画像追加部を備え、前記表示部は、前記画像への前記付加画像の追加に応じて、前記付加画像が追加された後の前記画像を表示する構成としてもよい。本図面表示装置によれば、付加画像追加部を用いて付加画像を追加することで、画像に含まれる特定の内容を容易に他人に伝達することができる。
【００１６】
なお、本明細書に開示される技術は、種々の形態で実現することが可能であり、例えば、データ生成装置と図面表示装置とを備える図面表示システム、図面表示方法、それらの方法、装置またはシステムの機能を実現するためのコンピュータプログラム、そのコンピュータプログラムを記録した一時的でない記録媒体等の形態で実現することが可能である。
【図面の簡単な説明】
【００１７】
【図１】検査システム１０の構成を示すブロック図である。
【図２】検査システム用データＤ１００のファイル構造を示す説明図である。
【図３】図面３０を表示する図面表示画面ＨＦの一例を示す説明図である。
【図４】検査が実施される前の図面３０を表示する図面表示画面ＨＦの一例を示す説明図である。
【図５】検査が実施される前の選択検査位置における検査画面ＨＳの一例を示す説明図である。
【図６】構造物を構成する各部材の断面図の一例を示す説明図である。
【図７】１回目の検査が実施された後の選択検査位置における検査画面ＨＳの一例を示す説明図である。
【図８】検査結果画像ＰＨ１の表示画面を示す説明図である。
【図９】２回目の検査が実施された後の選択検査位置における検査画面ＨＳの一例を示す説明図である。
【図１０】検査が実施された後の選択検査位置における検査画面ＨＳの一例を示す説明図である。
【図１１】新たな検査位置が設定される前の図面３０を表示する図面表示画面ＨＦの一例を示す説明図である。
【図１２】新たな検査位置が設定された後の図面３０を表示する図面表示画面ＨＦの一例を示す説明図である。
【発明を実施するための形態】
【００１８】
Ａ．実施形態：
Ａ−１．検査システム１０の構成：
図１は、本実施形態における検査システム１０の構成を示すブロック図である。検査システム１０は、建築物や土木構造物等の構造物の検査業務を支援するためのものであり、データ生成装置１００と、図面表示装置２００と、図面データ保管サーバ３００と、検査システム用データ保管サーバ４００と、を備える。各装置やサーバは、ネットワークＮＷを介して互いに接続されている。データ生成装置１００は、例えばパーソナルコンピュータ等である。図面表示装置２００は、例えばタブレット型端末やスマートフォン等である。検査システム１０は、図面表示システムの一例である。
【００１９】
データ生成装置１００は、構造物の検査業務を管理する装置であり、制御部１１０と、記憶部１２０と、通信部１３０と、操作部１４０と、表示部１５０とを備える。記憶部１２０は、例えばハードディスクドライブ（以下、「ＨＤＤ」という）やＲＯＭ、ＲＡＭ等により構成されており、データ生成装置１００を制御するための各種プログラム、例えば、後述する検査システム用データＤ１００（図２参照）を生成するためのプログラムを記憶する。通信部１３０は、無線通信方式または有線通信方式により、外部装置と通信を行うインターフェースである。操作部１４０は、例えばキーボードやマウス等により構成され、ユーザの操作を受け付ける。表示部１５０は、例えば液晶ディスプレイ等により構成される。制御部１１０は、例えば中央制御ユニット（以下、「ＣＰＵ」という）等により構成されており、記憶部１２０から読み出したプログラムに従って、データ生成装置１００の各部を制御する。制御部１１０は、地図情報データ生成部の一例であり、通信部１３０は、図面データ取得部および本体通信部の一例である。
【００２０】
図面表示装置２００は、構造物の検査を支援する装置であり、具体的には、検査を実施する検査者が操作する作業端末である。図面表示装置２００は、制御部２１０と、記憶部２２０と、通信部２３０と、表示部２４０と、撮影部２５０と、地磁気センサ２６０と、ＧＰＳ受信部２７０とを備える。記憶部２２０は、例えばＨＤＤやＲＯＭ、ＲＡＭ等により構成されており、図面表示装置２００を制御するための各種プログラムを記憶する。通信部２３０は、無線通信方式または有線通信方式により、外部装置と通信を行うインターフェースである。表示部２４０は、例えば液晶ディスプレイ等により構成され、図面等を表示する。本実施形態では、表示部２４０は、タッチパネルを有し、ユーザによる操作を受け付ける操作受付部としても機能する。撮影部２５０は、被写体を撮影することにより画像を表す画像データを生成するカメラである。地磁気センサ２６０は、撮影部２５０の向きを特定する情報を取得するセンサである。ＧＰＳ受信部２７０は、上空にある衛星２０が送信する信号を受信することにより、自己の現在位置を特定する情報（緯度、経度および高度）を取得する装置である。制御部２１０は、例えばＣＰＵ等により構成されており、記憶部２２０から読み出したプログラムに従って、図面表示装置２００の各部を制御する。制御部２１０は、データ更新部および付加画像追加部の一例であり、通信部２３０は、端末通信部の一例であるとともに図面データ取得部および地図情報データ取得部の別例であり、表示部２４０または制御部２１０と表示部２４０との組み合わせは、表示部の一例であり、表示部２４０は、操作受付部の一例であり、画像データは、画像情報の一例である。
【００２１】
図面データ保管サーバ３００は、構造物の二次元図面（以下、単に「図面」という）を表す図面データＤ３０１（図２参照）を保管する装置である。図面データＤ３０１は、例えば構造物の各階の平面図や床伏図等を表すデータであり、例えばＤＸＦ形式のデータである。図面データ保管サーバ３００には、図面データＤ３０１が予め記憶されている。
【００２２】
検査システム用データ保管サーバ４００は、検査システム用データＤ１００を保管する装置である。検査システム用データ保管サーバ４００には、データ生成装置１００により生成された検査システム用データＤ１００が記憶される。
【００２３】
図２は、検査システム用データＤ１００のファイル構造を示す説明図である。検査システム用データＤ１００は、システムデータＤ１０１と個別現場データＤ１０２とを含む。システムデータＤ１０１は、個別現場データＤ１０２を管理するためのデータであり、検査対象となる全ての構造物に共通に用いられる。システムデータＤ１０１は、例えば梁アイコンＡＧ、柱アイコンＡＣ（図４参照）またはこれらの色違いアイコン（図１０参照）等を表示するためのアイコン画像データＤ２０１を含む。
【００２４】
個別現場データＤ１０２は、構造物の建設現場毎に設定されるデータである。個別現場データＤ１０２は、例えば配筋検査や鉄骨ボルト検査等、構造物に対して実施される検査の種類毎に設定される複数の検査種類別データＤ２０２を含む。各検査種類別データＤ２０２は、図面データＤ３０１と、地図情報データＤ３０２とを含む。地図情報データＤ３０２は、構造物の位置データＤ４０１と属性データＤ４０２とが互いに関連付けられたデータであり、例えばＳｈａｐｅ形式のデータである。具体的には、地図情報データＤ３０２は、位置データＤ４０１と、属性データＤ４０２と、対応関係データＤ４０３とを含む。
【００２５】
位置データＤ４０１は、構造物の各位置に対する図面上の座標を示すデータであり、具体的には、図面データＤ３０１に含まれる座標データが流用される。位置データＤ４０１は、座標情報の一例である。属性データＤ４０２は、構造物の各位置の属性を示すデータであり、具体的には、ＩＤデータＤ５０１と、アイコンデータＤ５０２と、通芯データＤ５０３と、通芯識別データＤ５０４と、検査データＤ５０６と、画像データＤ５０７と、断面図データＤ５０８とを含む。属性データＤ４０２は、属性情報の一例である。
【００２６】
ＩＤデータＤ５０１は、属性データＤ４０２の識別番号を示すデータである。アイコンデータＤ５０２は、図面表示装置２００の表示部２４０にアイコンを表示するためのデータであり、例えば、システムデータＤ１０１に含まれるアイコン画像データＤ２０１により表示可能な複数種類のアイコンから特定の種類のアイコンを選出するデータが含まれる。通芯データＤ５０３は、図面表示装置２００の表示部２４０に構造物の通芯を表示するためのデータである。通芯識別データＤ５０４は、通芯を識別する通芯識別子を表示するためのデータである。検査データＤ５０６は、構造物に設定された所定の検査位置における検査内容および検査結果を示すデータである。画像データＤ５０７は、画像および画像を縮小したサムネイル画像を示すデータであり、例えば図面表示装置２００の撮影部２５０によって生成される。断面図データＤ５０８は、構造物を構成する各部材の断面図（図６参照）を示すデータである。断面図には、例えば構造物が鉄筋コンクリート造の建築物である場合における梁や柱の断面図が含まれる。識別番号、アイコン、通芯、通芯識別子、検査内容、検査結果、画像、サムネイル画像、および断面図は、属性の一例である。
【００２７】
対応関係データＤ４０３は、属性データＤ４０２と位置データＤ４０１とを関連付けるデータである。つまり、属性データＤ４０２の示す特定の種類のアイコン（以下、単に「アイコン」という）や通芯等の属性は、対応関係データＤ４０３により、位置データＤ４０１の示す図面上の座標に関連付けられる。
【００２８】
図面表示装置２００の制御部２１０（図１）は、ＧＩＳ（Geographic Information System）表示機能を有しており、位置情報をキーにして、空間に関する情報と位置に関する情報を、重ね合わせて表示部２４０に表示させる機能を有している。具体的には、図面表示装置２００は、画像データＤ５０７に基づいて図面を表示するとともに、地図情報データＤ３０２に基づいて属性を表示する。上述したように、アイコンや通芯等の属性は、図面上の座標に関連付けられている。そのため、アイコンや通芯等の属性は、表示部２４０に表示される際に、その属性に関連付けられた座標に対応する図面上の位置に重ねて表示される。
【００２９】
Ａ−２．検査支援処理：
次に、本実施形態の検査システム１０における検査支援処理の動作例を説明する。検査支援処理は、検査システム用データＤ１００を作成する支援準備処理と、作成された検査システム用データＤ１００に基づいて図面表示装置２００の表示部２４０に構造物の図面や属性を表示し、検査員の検査を支援する支援実施処理と、を含む。
【００３０】
（１）支援準備処理
支援準備処理は、データ生成装置１００（図１）により実施される。データ生成装置１００の制御部１１０は、操作部１４０を介した操作に応じてユーザからの検査システム用データＤ１００の作成指示を受け付けると、通信部１３０を介して図面データ保管サーバ３００から検査対象となる構造物の図面データＤ３０１を取得し、図面データＤ３０１を用いて地図情報データＤ３０２を生成することにより、検査種類別データＤ２０２を生成する。
【００３１】
具体的には、データ生成装置１００の制御部１１０は、操作部１４０を介した操作に応じてユーザから入力される内容に従って、地図情報データＤ３０２を生成する。構造物では、部材毎に検査の必要な検査位置と各検査位置の検査内容とが予め定められている。ユーザは、図面データＤ３０１に基づき表示部１５０に表示された図面上で検査位置の座標を読み取り、検査位置の座標を示すデータをデータ生成装置１００に入力する。制御部１１０は、ユーザが座標を読み取って入力した検査位置の座標を示すデータから位置データＤ４０１を生成する。また、ユーザは、各検査位置に関連付けてアイコンの種類や検査内容を特定するデータを入力する。制御部１１０は、ユーザから入力されるデータから属性データＤ４０２を生成する。なお、複数の検査内容が予め用意されている場合には、複数の検査内容から１の検査内容を選択することで検査内容を特定してもよい。
【００３２】
通芯については、ユーザは、図面上で通芯の座標を読み取り、通芯の座標を示すデータをデータ生成装置１００に入力する。データ生成装置１００の制御部１１０は、通芯の座標を示すデータから位置データＤ４０１を生成する。また、通芯識別子については、ユーザは、通芯の座標に関連付けられて通芯識別子の位置データＤ４０１を設定する。具体的には、通芯の位置データＤ４０１から選択された１の位置データＤ４０１が、通芯識別子の位置データＤ４０１として設定する。
【００３３】
図面表示装置２００の制御部２１０は、生成した位置データＤ４０１と属性データＤ４０２とを関連付ける対応関係データＤ４０３を生成し、位置データＤ４０１と、属性データＤ４０２と、対応関係データＤ４０３とを含む地図情報データＤ３０２を生成する。データ生成装置１００の制御部１１０は、地図情報データＤ３０２を生成すると、図面データ保管サーバ３００から取得した図面データＤ３０１と、生成した地図情報データＤ３０２とを含む検査種類別データを生成する。制御部１１０は、現場毎、フロア毎、および、各現場において実施される検査種類毎に検査種類別データＤ２０２を生成し、個別現場データＤ１０２を生成する。制御部１１０は、通信部１３０を介して生成した個別現場データＤ１０２を検査システム用データ保管サーバ４００に保管させる。
【００３４】
（２）支援実施処理
支援実施処理は、図面表示装置２００（図１）により実施される。以下では、支援実施処理の一例として、鉄筋コンクリート造の建築物の梁および柱の配筋検査を行う場面における動作例について説明する。図面表示装置２００の制御部２１０は、表示部２４０を介した操作に応じて検査者から検査開始の指示を受け付けると、支援実施処理を開始する。制御部２１０は、検査開始の指示に併せて、現場を特定する現場情報、および、検査者を特定する検査者情報を受け付ける。制御部２１０は、受け付けた現場情報に基づいて、通信部２３０を介して検査システム用データ保管サーバ４００から検査対象となる構造物の個別現場データＤ１０２を読み出し、記憶部２２０に記憶させる。つまり、制御部２１０は、通信部２３０を介して、検査システム用データ保管サーバ４００から図面データＤ３０１および地図情報データＤ３０２を含む個別現場データＤ１０２を取得する。記憶部２２０には、予めシステムデータＤ１０１が記憶されている。制御部２１０は、予め記憶されたシステムデータＤ１０１と、取得されえた個別現場データＤ１０２とにより検査システム用データＤ１００を取得する。
【００３５】
制御部２１０は、支援実施処理を開始すると、検査者から入力される検査の種類を特定する検査種類情報と構造物のフロアを特定するフロア情報とに基づいて、個別現場データＤ１０２に含まれる複数の検査種類別データＤ２０２から１の検査種類別データＤ２０２を選択する。制御部２１０は、選択した検査種類別データＤ２０２に含まれる図面データＤ３０１に基づいて、表示部２４０に構造物の図面３０（図４参照）を表示させる。
【００３６】
図３は、図面３０を表示する図面表示画面ＨＦの一例を示す説明図である。図３には、図面表示装置２００の表示部２４０に図面３０の全体が表示された状態が示されている。図面表示画面ＨＦは、ヘッダ領域ＨＵと、図面表示領域ＨＺと、を含む。ヘッダ領域ＨＵは、検査者情報に基づく検査者コード（例えば、１２３４５６）と、検査種類情報に基づく検査識別子（例えば、配筋検査  梁、柱）と、フロア情報に基づくフロア識別子（例えば、０７Ｆ）と、を表示する領域である。図面表示領域ＨＺは、図面３０を表示する領域である。
【００３７】
図面表示装置２００の制御部２１０は、図面３０の表示倍率と表示位置とを変更可能である。具体的には、制御部２１０は、表示部２４０を介した操作に応じて図面３０を任意の倍率に拡大・縮小して表示させ、または、図面３０をスクロールして表示させることが可能である。例えば、制御部２１０は、検査者から図面３０の拡大指示を受け付けると、表示部２４０に図面３０の一部を拡大して表示させる。
【００３８】
図４は、拡大された図面３０を表示する図面表示画面ＨＦの一例を示す説明図である。本実施形態では、図面表示画面ＨＦに図面３０の全体が表示された状態以外の状態では、図４に示すように、制御部２１０は、表示部２４０に図面３０を表示させるとともに、ＧＩＳ表示機能により、地図情報データＤ３０２に基づいて属性を表示させる。具体的には、制御部２１０は、アイコンデータＤ５０２に基づいて梁アイコンＡＧ（ＡＧ１〜ＡＧ５）と柱アイコンＡＣ（ＡＣ１，ＡＣ２）とを表示させ、通芯データＤ５０３に基づいて通芯ＡＳ（ＡＳ１〜ＡＳ３）を表示させ、通芯識別データＤ５０４に基づいて通芯識別子ＡＭ（ＡＭ１〜ＡＭ３）を表示させる。
【００３９】
図面表示装置２００の制御部２１０は、通芯データＤ５０３に基づいて、通芯ＡＳを、通芯ＡＳに関連付けられた図面３０上の座標に対応する位置に表示させる。そのため、制御部２１０は、図面３０の表示倍率が変更されたことに応じて、通芯ＡＳの表示状態を更新する。具体的には、制御部２１０は、図面３０が拡大または縮小された場合には、その拡大または縮小に追従させて、通芯ＡＳが表示される位置を更新する。また、通芯識別子ＡＭは、対応する通芯ＡＳの座標に対応する位置に関連付けられている。そのため、制御部２１０は、図面３０の表示倍率が変更されたことに応じて、通芯識別子ＡＭの表示状態を更新する。本実施形態では、通芯識別子ＡＭは、対応する通芯ＡＳが表示部２４０の外周部と交差する位置のいずれか一方の周囲に表示される。
【００４０】
梁アイコンＡＧおよび柱アイコンＡＣは、梁アイコンＡＧおよび柱アイコンＡＣに関連付けられた図面３０上の座標が示す位置に表示される。この結果、梁アイコンＡＧおよび柱アイコンＡＣは、梁アイコンＡＧおよび柱アイコンＡＣに対応する図面３０上の検査位置に表示される。梁アイコンＡＧおよび柱アイコンＡＣには、検査対象部材の種類を示す「柱」、「梁」等の表示が含まれ、対応する検査位置の検査状況により表示色が決定される。例えば、対応する検査位置の検査状況が「未確認」であると、表示色は黄色となり、対応する対応する検査位置の検査状況が「合格」であると、表示色は青色となり、対応する検査位置の検査状況が「不合格」であると、表示色は赤色となり、対応する検査位置の検査状況が「確認」であると、表示色は緑色となる。なお、図４では、全ての検査位置の検査状況が「未確認」であり、全ての梁アイコンＡＧおよび柱アイコンＡＣが黄色に表示されている。
【００４１】
また、表示部２４０は、図面３０上に現在位置マークＡＺを表示する。図面表示装置２００の制御部２１０は、地磁気センサ２６０とＧＰＳ受信部２７０とから、撮影部２５０の向きを特定する情報と図面表示装置２００の現在位置を特定する情報とを取得し、これらの情報を図面３０上における座標と向きとを示す情報に変換する。表示部２４０は、変換した位置と向きとを示す情報に基づいて現在位置マークＡＺを表示する。検査者は、現在位置マークＡＺを利用して図面３０上の複数の検査位置から所望の検査位置を決定する際の参考にすることができる。
【００４２】
図面表示装置２００の制御部２１０は、表示部２４０を介した操作に応じて所望の検査位置（以下、「選択検査位置」という。）に表示された梁アイコンＡＧ１へのタップを受け付けたことに応じて、表示部２４０に選択検査位置における検査画面ＨＳを表示させる。図５は、選択検査位置における検査画面ＨＳの一例を示す説明図である。図５は、検査が実施される前の検査画面ＨＳを示す。検査画面ＨＳは、選択検査位置に対応する検査データＤ５０６に基づいて表示される。検査画面ＨＳは、前述したヘッダ領域ＨＵに加え、部材表示領域ＨＢと、検査結果表示領域ＨＫと、検査項目表示領域ＨＣと、画像取得領域ＨＰと、機能表示領域ＨＤと、を含む。部材表示領域ＨＢは、検査対象部材の種類を示す識別子（例えば、梁）と、検査対象部材の種別を示す符号（例えば、ＳＧ５）と、通芯ＡＳを基準とした検査位置を示す識別子（例えば、Ｘ通：１−２  Ｙ通：Ａ−Ａ  １通り側）と、を表示する領域である。
【００４３】
検査結果表示領域ＨＫは、検査結果を表示する領域であり、具体的には、図面３０において選択検査位置に表示された梁アイコンＡＧ１と同一のアイコンを表示するアイコン表示欄ＨＫ１と、検査結果を入力する検査結果入力欄ＨＫ２と、を表示する領域である。検査結果は、他の種類の属性の一例である。検査結果入力欄ＨＫ２には、「未確認」、「合格」、「不合格」、「確認」が記載されたマルチウインドウ（不図示）を示す画面が関連付けられている。検査者は、検査結果入力欄ＨＫ２に検査結果を入力するときは、検査結果入力欄ＨＫ２をタップし、表示されるマルチウインドウから検査結果を選択することで、検査結果を入力することができる。
【００４４】
検査項目表示領域ＨＣは、検査内容の一例である検査項目を表示する領域であり、具体的には、検査種類に応じた検査項目を表示する項目表示欄ＨＣ１と、各検査項目が検査されたか否かを示す検査確認欄ＨＣ２と、検査した内容を記載可能な検査内容記載欄ＨＣ３と、表示部２４０に表示されていない検査項目を表示させるためのスクロールバーＨＣ４と、を表示する領域である。検査項目は、他の種類の属性の別例である。検査確認欄ＨＣ２には、対応する検査項目が未検査であることを示す「未」表示領域と、対応する検査項目が検査済であることを示す「確」表示領域（図７参照）とを含み、各検査項目に対して「未」表示領域と「確」表示領域のいずれか一方の表示領域が表示状態となる。検査者は、表示部２４０の検査確認欄ＨＣ２をスワイプすることで、表示状態の表示領域を切り替えることができる。
【００４５】
画像取得領域ＨＰは、検査結果としての画像を取得するための領域であり、具体的には、画像表示欄ＨＰ１と、カメラアイコンＨＰ２と、を表示する領域である。画像表示欄ＨＰ１は、選択検査位置に対応する画像データＤ５０７のサムネイル画像を表示する欄であり、複数のサムネイル画像を同時に表示可能である。カメラアイコンＨＰ２は、画像データＤ５０７の取得を指示するためのアイコンである。具体的には、カメラアイコンＨＰ２には、「撮影部２５０で撮影する」内容と、「記憶部２２０から選択する」内容とが記載されたマルチウインドウ（不図示）を示す画面が関連付けられている。図面表示装置２００の制御部２１０は、検査者により「撮影部２５０で撮影する」内容が選択されると、撮影部２５０を起動し、検査者が撮影部２５０を用いて撮影した被写体の画像データを、被写体に対応する座標に関連付けて地図情報データＤ３０２に追加する。具体的には、制御部２１０は、被写体の画像データを、被写体に対応する地図情報データＤ３０２の画像データＤ５０７として記憶部２２０に記憶させる。また、制御部２１０は、検査者により「記憶部２２０から選択する」内容が選択されると、検査システム用データＤ１００とは別に記憶部２２０に記憶されている画像データを、選択検査位置に対応する地図情報データＤ３０２に追加する。
【００４６】
機能表示領域ＨＤは、保存アイコンＨＤ１と、位置図表示アイコンＨＤ２と、施工資料表示アイコンＨＤ３と、戻るアイコンＨＤ４と、を表示する領域である。保存アイコンＨＤ１は、検査結果表示領域ＨＫと検査項目表示領域ＨＣとに入力された内容の保存を指示するためのアイコンである。位置図表示アイコンＨＤ２は、表示部２４０の表示を、検査画面ＨＳから図面表示画面ＨＦに切り替えることを指示するためのアイコンである。施工資料表示アイコンＨＤ３は、表示部２４０に、図６に示す断面図ＤＡ等の施工資料の表示を指示するためのアイコンである。戻るアイコンＨＤ４は、検査結果表示領域ＨＫや検査項目表示領域ＨＣにおいて入力された内容を、入力前の内容に戻すことを指示するためのアイコンである。
【００４７】
図７は、１回目の検査が実施された後の検査画面ＨＳを示す。１回目の検査では、検査項目表示領域ＨＣに表示された全ての検査項目に対して検査が行われる。その結果、検査確認欄ＨＣ２では、全ての検査項目に対して「確」表示領域が表示状態となり、必要に応じて検査内容記載欄ＨＣ３に検査した内容が記載される。本実施形態では、１回目の検査において、「継手」の検査項目において不備が検出されたものとする。そのため、検査結果表示領域ＨＫの検査結果入力欄ＨＫ２には、「不合格」が入力され、アイコン表示欄ＨＫ１では、アイコンの表示色が赤色となる。また、１回目の検査では、撮影部２５０を用いて不備のあった「継手」の画像である検査結果画像ＰＨ１（図８参照）が撮影される。図面表示装置２００の制御部２１０は、検査結果画像ＰＨ１の画像データを選択検査位置に対応する地図情報データＤ３０２の画像データＤ５０７として記憶部２２０に記憶させる。制御部２１０は、検査結果画像ＰＨ１の画像データＤ５０７に基づいて、表示部２４０に検査結果画像ＰＨ１のサムネイル画像ＨＰ３を表示させる。これにより、画像取得領域ＨＰの画像表示欄ＨＰ１に、検査結果画像ＰＨ１のサムネイル画像ＨＰ３が表示される。すなわち、表示部２４０には、選択検査位置における検査内容および検査結果とともにサムネイル画像ＨＰ３が表示される。制御部２１０は、表示部２４０を介した操作に応じて画像表示欄ＨＰ１に表示されたサムネイル画像ＨＰ３へのタップを受け付けると、サムネイル画像ＨＰ３に対応する検査結果画像ＰＨ１を表示部２４０に表示させる。
【００４８】
図８は、検査結果画像ＰＨ１の表示画面を示す。表示画面には、検査結果画像ＰＨ１の他に、検査結果画像ＰＨ１に文字や記号などの指示画像の追加を指示する追加アイコンＡＴ１と、検査結果画像ＰＨ１の削除を指示する削除アイコンＡＴ２とが含まれる。指示画像は、付加画像の一例である。図面表示装置２００の制御部２１０は、表示部２４０を介した操作に応じて追加アイコンＡＴ１へのタップを受け付けると、検査者の表示部２４０を介した操作に基づいて指示画像を追加する。具体的には、検査者が検査結果画像ＰＨ１上に矢印画像ＴＫ１を記載すると、制御部２１０は、その矢印画像ＴＫ１を示す指示画像を追加する。また、検査者が検査結果画像ＰＨ１上に文字画像ＴＫ２を入力すると、制御部２１０は、その文字画像ＴＫ２を示す指示画像を追加する。制御部２１０は、指示画像の追加を終了すると、指示画像が追加された検査結果画像ＰＨ１を上書きして保存する（図９参照）。そのため、次回以降に表示部２４０に検査結果画像ＰＨ１が表示される場合には、指示画像が追加された後の検査結果画像ＰＨ１が表示される。
【００４９】
１回目の検査の終了後、１回目の検査結果に基づいて、構造物に是正工事を行う是正業者により是正工事が行われる。是正業者は、選択検査位置における検査画面ＨＳの検査項目表示領域ＨＣに表示された内容から、是正の対象が「継手」であることを理解することができる。また、是正業者は、画像取得領域ＨＰのサムネイル画像ＨＰ３に追加された矢印画像ＴＫ１や文字画像ＴＫ２により、是正の詳細な内容を理解することができる。是正業者による是正工事後、検査者は構造物の選択検査位置の検査を再び実施する。
【００５０】
図９は、２回目の検査が実施された後の検査画面ＨＳを示す。２回目の検査では、１回目の検査結果において不備が検出された「継手」の検査項目に対して検査が行われる。検査項目表示領域ＨＣの「継手」の検査項目に対する検査内容記載欄ＨＣ３では、再確認が行われたことを示す内容が記載される。また、２回目の検査では、撮影部２５０を用いて是正工事後の「継手」の画像である是正画像が撮影される。検査者は、検査結果画像ＰＨ１のサムネイル画像ＨＰ３を参照して、是正画像を検査結果画像ＰＨ１に似せて撮影することができる。図面表示装置２００の制御部２１０は、是正画像の画像データを地図情報データＤ３０２の画像データＤ５０７として記憶部２２０に記憶させる。つまり、制御部２１０は、１つの選択検査位置に対応する図面３０上の１つの座標に、属性としての検査結果画像ＰＨ１と是正画像との両方の画像を関連付けて記憶部２２０に記憶させる。
【００５１】
図面表示装置２００の制御部２１０は、検査結果画像ＰＨ１の画像データに基づいて、表示部２４０に検査結果画像ＰＨ１のサムネイル画像ＨＰ３を表示させるとともに、是正画像の画像データに基づいて、表示部２４０に是正画像のサムネイル画像ＨＰ４を表示させる。表示部２４０は、画像取得領域ＨＰの画像表示欄ＨＰ１に、検査結果画像ＰＨ１のサムネイル画像ＨＰ３と、是正画像のサムネイル画像ＨＰ４とを同時に表示する。本実施形態では、２回目の検査において、「継手」の検査項目における不備が解消したものとする。そのため、検査結果表示領域ＨＫの検査結果入力欄ＨＫ２の入力が、「不合格」から「合格」に更新され、検査画面ＨＳにおけるアイコン表示欄ＨＫ１のアイコンの表示色が青色に変化する。そのため、図１０に示すように、表示部２４０の表示を、検査画面ＨＳから図面表示画面ＨＦに切り替えると、選択検査位置の梁アイコンＡＧ１の表示色が青色に変更される。なお、図９のサムネイル画像ＨＰ４に示すように、是正画像にも不備が解消したことを示す指示画像が追加されていてもよい。
【００５２】
以上説明したように、本実施形態の図面表示装置２００では、表示部２４０は、図面データＤ３０１に基づいて構造物の図面３０を表示するとともに、地図情報データＤ３０２に基づいて属性を表示する。そのため、表示部２４０に図面３０のみを表示させたいときは、図面データＤ３０１に基づいて図面３０のみを表示させ、表示部２４０に属性のみを表示させたいときは、地図情報データＤ３０２に基づいて属性のみを表示させ、表示部２４０に図面３０と属性との両方を表示させたいときは、図面データＤ３０１および地図情報データＤ３０２に基づいて図面３０と属性との両方を表示させることができる。これにより、表示部２４０に図面３０や属性を表示するときの利便性を向上させることができる。
【００５３】
属性は、図面３０上の座標に関連付けられており、表示部２４０に図面３０とともに表示される属性は、図面３０上の、属性に関連付けられた座標に対応する位置に表示される。そのため、図面３０上のどの位置に属性が関連付けられているかを容易に把握することができる。
【００５４】
また、本実施形態の図面表示装置２００では、表示部２４０に図面３０とともに属性としてのアイコンが表示されるため、ユーザは、表示部２４０に表示されたアイコンをタップすることで、選択されたアイコンが表示された位置の他の属性を確認することができる。具体的には、検査位置に表示された梁アイコンＡＧあるいは柱アイコンＡＣをタップすることで、検査位置における属性としての検査内容や検査結果を確認することができる。
【００５５】
また、本実施形態の図面表示装置２００では、表示部２４０に図面３０とともに属性としての通芯ＡＳおよび通芯識別子ＡＭが表示される。通芯ＡＳは、図面３０上の座標に基づいて表示される。そのため、通芯ＡＳは、図面３０が拡大または縮小されたときは、図面３０の拡大または縮小に追従して表示される。また、通芯識別子ＡＭは、図面３０上の通芯ＡＳの座標に基づいて表示される。そのため、図面３０上に通芯ＡＳが表示されるときは、通芯ＡＳに関連付けて通芯識別子ＡＭが表示される。
【００５６】
図３に示すように、図面３０上にも通芯および通芯識別子が記載されている。しかし、図面３０に記載される通芯は、図面３０の拡大または縮小に追従して線幅が変更されてしまい、見づらい問題がある。また、図面３０に記載される通芯識別子は、一般に図面３０の端に表示されるので、図面３０が拡大されたときには、図面３０に表示されず、通芯を識別することができない問題がある。本実施形態の図面表示装置２００では、通芯ＡＳは、図面３０上の座標に基づいて表示されるので、図面３０が拡大または縮小して表示された場合でも、通芯ＡＳの線幅を一定に保つことができる。また、通芯識別子ＡＭは、図面３０が拡大されたときでも表示されるので、図面３０が拡大または縮小して表示された場合でも、通芯ＡＳを識別することができる。これにより、表示部２４０に図面３０を表示するときの利便性を向上させることができる。
【００５７】
また、本実施形態の図面表示装置２００では、撮影部２５０等で撮影された画像が図面３０上の座標に関連付けられるので、図面３０上の各位置に対応させて、画像を保持することができる。特に、本実施形態の図面表示装置２００では、図面３０上の１つの座標に、複数の画像を関連付けることができるので、図面３０上の各位置に対応させて、例えば是正工事前の検査結果画像ＰＨ１と是正工事後の是正画像を保持することができ、あるいは、同じ被写体を異なる角度から複数回撮影することができ、利便性を向上させることができる。
【００５８】
また、本実施形態の図面表示装置２００では、図面表示装置２００の制御部２１０は、撮影部２５０で撮影された画像の画像データを、被写体に対応する座標に関連付けて地図情報データＤ３０２に追加する。そのため、ユーザは、地図情報データＤ３０２に追加された画像データにより、画像データに関連付けられた座標に対応する被写体の画像を確認することができる。
【００５９】
また、本実施形態の図面表示装置２００では、属性にサムネイル画像が含まれ、検査画面ＨＳにおいて、他の属性である検査内容や検査結果とともに表示される。そのため、検査者は、表示部２４０に表示されるサムネイル画像により、どのような画像が撮影されているかを確認することができるとともに、検査内容や検査結果と撮影された画像との関係、例えば、検査内容や検査結果と撮影された画像とが対応するものであるか否かを確認することができる。また、ユーザは、表示部２４０に表示されたサムネイル画像をタップすることで、選択されたサムネイル画像に対応する画像を詳細に確認することができる。
【００６０】
また、本実施形態の図面表示装置２００では、表示部２４０に表示された画像に指摘画像を追加することができるので、画像に含まれる不備部分の周囲に指摘画像を追加しておくことで、指摘画像を追加しない場合に比べて、図面を利用して修正者などの他人に不備の内容を容易に伝達することができる。
【００６１】
Ｂ．変形例：
本明細書で開示される技術は、上述の実施形態に限られるものではなく、その要旨を逸脱しない範囲において種々の形態に変形することができ、例えば次のような変形も可能である。
【００６２】
Ｂ−１．.第１の変形例：
上記実施形態では、例えば検査位置が部材毎に予め定められているように、検査位置がデータ生成装置１００により設定され、図面表示装置２００により設定されない例を説明したが、例えば検査者が検査中に予め定められた検査位置と異なる位置において不備を検出した場合のように、図面表示装置２００により検査位置が設定される場合がある。以下では、このような場合に実施される支援実施処理について説明する。
【００６３】
図１１は、検査者による検査において、検査者が予め設定された構造物の検査位置とは異なる位置で不備を検出した場合の図面表示画面ＨＦである。図１１では、図面３０上の現在位置マークＡＺの位置が図４と異なっており、その他の表示については図４の表示と同様であるため、その他の表示については重複した説明を省略する。
【００６４】
検査者は、不備を検出すると、現在位置マークＡＺに基づいて表示部２４０の不備に対応する不備位置をロングタップする。図面表示装置２００の制御部２１０は、不備位置の図面３０上の座標を読み取って位置データＤ４０１を取得する。また、制御部２１０は、属性データ生成画面（不図示）を表示する。属性データ生成画面には、検査対象部材の種類や不備の内容等を入力する入力欄が設けられている。本変形例では、検査対象部材として「床」が入力されたものとする。制御部２１０は、属性データ生成画面に対する入力に基づいて属性データＤ４０２を生成する。制御部２１０は、位置データＤ４０１と属性データＤ４０２とを関連付ける対応関係データＤ４０３を生成し、不備位置における地図情報データＤ３０２を生成する。地図情報データＤ３０２が生成されることで不備位置に新たな検査位置が設定される。そのため、図１２に示すように、新たに設定された検査位置に対応する図面３０上の位置に、「床」の表示を含む床アイコンＡＦが表示される。
【００６５】
以上説明したように、図１１および図１２に示す変形例では、図面表示装置２００により検査位置を設定することができる。そのため、図１１および図１２に示す変形例によれば、検査者が検査中に検出した不備に基づいて検出位置を設定して、検査や是正工事等の必要な処理を実施することができる等、利便性をさらに向上させることができる。
【００６６】
Ｂ−２．その他の変形例：
上記実施形態では、構造物の図面３０を表示する本願発明を、構造物の検査業務に用いられるシステムや装置に適用した例を示したが、これに限られず、図面３０を表示するシステムや装置に広く適用することができる。
【００６７】
上記実施形態では、検査システム１０は、データ生成装置１００と、図面表示装置２００とに加えて、図面データ保管サーバ３００と、検査システム用データ保管サーバ４００とを備える例を示したが、図面データ保管サーバ３００と検査システム用データ保管サーバ４００とが、１つのサーバにより構成されていてもよい。また、画像データＤ５０７が、例えばデータ生成装置１００で生成される等、データ生成装置１００に取得されて記憶部１２０に記憶されている場合には、図面データ保管サーバ３００は必ずしも必要ではない。また、検査システム用データＤ１００が、データ生成装置１００から図面表示装置２００に送信され、図面表示装置２００により受信される場合には、検査システム用データ保管サーバ４００は必ずしも必要ではない。
【００６８】
上記実施形態では、構造物の各位置の属性としてアイコンや検査内容や検査結果等を挙げて説明したが、属性は上記の例に限られない。また、属性は、必ずしも上記の例の全てを含まなくてもよい。例えば、アイコンは、必ずしも表示される必要はなく、図面３０上の検査対象部材がタップされることで、検査内容や検査結果が表示部２４０に表示されるようにしてもよい。また、検査内容と検査結果では、必ずしも両方が表示される必要はなく、いずれか一方のみが表示部２４０に表示されるようにしてもよい。また、図面では、必ずしも構造物の各位置に複数の図面が関連付けられている必要はなく、１つの図面が関連つけられていてもよければ、図面が関連付けられていなくてもよい。
【００６９】
上記実施形態では、表示部２４０に属性を表示するときに、属性としてのアイコンが、図面３０上の属性に関連付けられた座標に対応する位置に表示される例を示した。ここで、「座標に対応する位置に表示」とは、座標が示す位置、つまり、座標を示す位置データＤ４０１により特定される位置に表示されることのみを示すのではなく、引き出し線等により位置データＤ４０１により特定される位置に関連付けられて位置データＤ４０１により特定される位置の周囲に表示されることをも含む。
【００７０】
上記実施形態では、表示部２４０に通芯識別子ＡＭを表示するときに、通芯識別子ＡＭが、対応する通芯ＡＳが表示部２４０の外周部と交差する位置のいずれか一方の周囲に表示される例を示したが、対応する通芯ＡＳに関連付けて表示されれば、表示部２４０における表示位置は、これに限られない。
【００７１】
上記実施形態では、表示部２４０にサムネイル画像を表示するときに、サムネイル画像が検査内容や検査結果とともに表示される例を示したが、これに限られず、サムネイル画像が図面３０とともに表示されるようにしてもよい。また、サムネイル画像が、検査内容や検査結果とともに表示され、かつ、図面３０とともに表示されるようにしてもよい。
【００７２】
上記実施形態では、付加画像を追加された画像が上書き保存される例を示した。つまり、追加された付加画像が画像と一体として保存される例を示した。しかし、これに限られず、追加された付加画像が画像とは別に保存されてもよい。
【００７３】
上記実施形態では、図面表示装置２００の表示部２４０が、操作受付部を兼ねている例を示したが、図面表示装置２００は、表示部２４０とは別に操作受付部を備えていてもよい。
【００７４】
上記実施形態では、検査位置の地図情報データＤ３０２が生成される例を示したが、地図情報データＤ３０２が生成される図面３０上の位置は、必ずしも検査位置に限られず、例えば、検査が実施されない位置の地図情報データＤ３０２が生成されてもよい。
【００７５】
上記実施形態では、図面表示画面ＨＦにおいて、図面３０の全体が表示された状態以外の状態において、図面３０とともに属性が表示される例を示したが、これに限られず、図面３０の全体が表示された状態において、図面３０とともに属性が表示されてもよい。
【００７６】
上記実施形態では、構造物の図面として二次元図面のみを用いる例を示したが、二次元図面と三次元図面とを用いてもよい。すなわち、図面表示装置２００の表示部２４０に、構造物の三次元図面と二次元図面とが切替可能に表示されており、ユーザが必要に応じて図面表示装置２００の表示部２４０に構造物の二次元図面を表示させ、上記の検査支援処理を実施させてもよい。
【００７７】
上記実施形態では、図面表示装置２００の表示部２４０に現在位置マークＡＺを表示する例を示したが、現在位置マークＡＺはかならずしも表示される必要はない。また、上記実施形態では、現在位置マークＡＺを表示するために、地磁気センサ２６０とＧＰＳ受信部２７０とを用いる例を示したが、これに限られず、他の手法により現在位置マークＡＺが表示されてもよい。
【符号の説明】
【００７８】
１０：検査システム  ３０：二次元図面  １００：データ生成装置  １１０：制御部  １２０：記憶部  １３０：通信部  １４０：操作部  １５０：表示部  ２００：図面表示装置  ２１０：制御部  ２２０：記憶部  ２３０：通信部  ２４０：表示部  ２５０：撮影部  ３００：図面データ保管サーバ  ４００：検査システム用データ保管サーバ  ＡＣ：柱アイコン  ＡＧ：梁アイコン  ＡＭ：通芯識別子  ＡＳ：通芯  Ｄ１００：検査システム用データ  Ｄ２０２：検査種類別データ  Ｄ３０１：図面データ  Ｄ３０２：地図情報データ  Ｄ４０１：位置データ  Ｄ４０２：属性データ  Ｄ５０６：検査データ  Ｄ５０７：画像データ  ＨＰ３、ＨＰ４：サムネイル画像
【図１】
2020115370.tif 000003
【図２】
2020115370.tif 000004
【図３】
2020115370.tif 000005
【図４】
2020115370.tif 000006
【図５】
2020115370.tif 000007
【図６】
2020115370.tif 000008
【図７】
2020115370.tif 000009
【図８】
2020115370.tif 000010
【図９】
2020115370.tif 000011
【図１０】
2020115370.tif 000012
【図１１】
2020115370.tif 000013
【図１２】
2020115370.tif 000014